(57)【要約】【課題】  コンパクトなスライド式入賞装置の提供。【解決手段】  弾球遊技機の遊技盤面に取り付けられて窓部を介して突出部材を遊技盤面と略面一の待避位置から前方に突出させた突出位置へと移動させ、落下してくる遊技球をこの上部に沿って転動させて入賞経路に導くシャッター式入賞装置である。突出位置は突出部材を遊技盤面から少なくとも遊技球の半径よりも大なる距離だけ突出させた位置にあり、遊技盤面の後方且つ窓部の側部に位置する回動軸に駆動アームの一端部を軸支させ水平面内で振り子動させることで駆動アームの他端部に係合させた突出部材を突出位置及び待避位置の間で往復動自在とさせることを特徴とする。【選択図】図５
2019111118.tif 000002
【特許請求の範囲】
【請求項１】
弾球遊技機の遊技盤面に取り付けられて窓部を介して突出部材を該遊技盤面と略面一の待避位置から前方に突出させた突出位置へと移動させ、落下してくる遊技球をこの上部に沿って転動させて入賞経路に導くシャッター式入賞装置であって、
前記突出位置は前記突出部材を前記遊技盤面から少なくとも前記遊技球の半径よりも大なる距離だけ突出させた位置にあり、
前記遊技盤面の後方且つ前記窓部の側部に位置する回動軸に駆動アームの一端部を軸支させ水平面内で振り子動させることで前記駆動アームの他端部に係合させた前記突出部材を前記突出位置及び前記待避位置の間で往復動自在とさせることを特徴とするシャッター式入賞装置。
【請求項２】
前記駆動アームの前記一端部には前記遊技盤面方向へ向けて伸びる延長アームが固定され、その延長端部を前記窓部の側方へ向けて移動させて前記突出部材を前記待避位置から前記突出位置に移動させることを特徴とする請求項１記載のシャッター式入賞装置。
【請求項３】
前記窓部の下部において、前記遊技盤面と平行且つ略水平に移動シャフトを有するアクチュエータが設けられ、前記移動シャフトの突出端部が前記延長アームの前記延長端部に係合していることを特徴とする請求項２記載のシャッター式入賞装置。
【請求項４】
前記駆動アームと前記延長アームとは互いに鋭角をなすことを特徴とする請求項３記載のシャッター式入賞装置。
【請求項５】
前記延長アームが前記遊技盤面に対して垂直位置に移動して、前記突出部材を前記突出位置に移動させることを特徴とする請求項４記載のシャッター式入賞装置。
【請求項６】
前記窓部を閉塞するように前記遊技盤面と平行に前板を有し、前記遊技盤面と前記前板との間を前記遊技球が落下可能であることを特徴とする請求項１乃至５のうちの１つに記載のシャッター式入賞装置。
【請求項７】
前記突出部材は前記突出位置に移動し前記前板との間の間隔を前記遊技球の１／２以下とすることを特徴とする請求項６記載のシャッター式入賞装置。
【請求項８】
前記突出部材が前記突出位置に移動し、前記遊技球が前記前板に導かれ前記突出部材の前記上部に沿って転動することを特徴とする請求項７記載のシャッター式入賞装置。
【請求項９】
前記前板に導かれ前記突出部材の前記上部に沿って転動し落下してくる前記遊技球を受け止める位置に入賞口が設けられていることを特徴とする請求項８記載のシャッター式入賞装置。
【請求項１０】
前記突出部材が前記待避位置にあって、前記遊技盤面と前記前板との間を落下してくる前記遊技球を受け止める位置に第２の入賞口が設けられていることを特徴とする請求項９記載のシャッター式入賞装置。
【発明の詳細な説明】
【技術分野】
【０００１】
本発明は、弾球遊技機の入賞装置に関し、特に、突出部材を遊技盤面と略面一の待避位置から前方に突出させた突出位置へと移動させて落下してくる遊技球をこの上部に沿って転動させるシャッター式の入賞装置に関する。
【背景技術】
【０００２】
弾球遊技機には、遊技球を入賞しやすくする大入賞口などの入賞装置が設けられる。例えば、大入賞口は通常時に遊技球を入賞させないよう閉鎖されており、特定の条件によって解放されると遊技球を入賞させやすくする。これによって、遊技球の入賞に伴って賞球を払い出す遊技者にとって有利な状態とすることができる。
【０００３】
例えば、特許文献１では、入賞装置のうち、シャッター式の入賞装置を開示している。かかる入賞装置は、ソレノイドによって上下方向に駆動するプランジャと、プランジャに連動して上下する第１作動部材と、第１作動部材の上下動に伴って左右方向に延びる回動軸の周囲で回動する第２作動部材と、第２作動部材の回動に伴って開位置と閉位置との間で前後にスライドする平板状の開閉部材（シャッター）とを備える。ソレノイドの駆動により開閉部材を開位置にスライドさせることで、その下の大入賞口を開放できる。第１作動部材には、後方に突出するロック部が備えられ、開閉部材を閉位置から開位置に不正に移動させようとすると第２作動部材の第２ロック部が当接してその移動を阻止し、不正行為を防止できるとしている。
【０００４】
ところで、このようなシャッター式の入賞装置は、スペースの限られる遊技機に用いられるため、コンパクトにすることを提案されている。
【０００５】
例えば、特許文献２では、シャッター式の入賞装置において、嵩張りを抑制することを開示している。ソレノイドによって左右にスライドするスライド部材を、水平面内で回転可能とされて回転の中心部を折れ部としたＬ字状の連動部材の一方のアーム部に係合させ、連動部材の他方のアーム部を板状で前後にスライド可能な球誘導体（シャッター）に係合させる。そして、ソレノイドの駆動によってスライド部材を介して一方のアーム部を左右に移動させるように連動部材を回転させるとともに他方のアーム部を前後方向に移動させ、球誘導体を前後にスライドさせるのである。球誘導体は、前方に突出した誘導位置にあるときに遊技球を側方の入賞口に導き、後方に待避させた通過位置にあるときに遊技球を下方へ落下させる。ここで、ソレノイドの駆動によって変位する部材の全てを水平方向に変位させるとともに、左右及び前後方向において球誘導体の配置領域に重ねるように配置させることで、左右及び前後方向の嵩張りを抑制するとしている。
【先行技術文献】
【特許文献】
【０００６】
【特許文献１】特開２０１２−２４９７０２号公報
【特許文献２】特開２０１５−２１３５８９号公報
【発明の概要】
【発明が解決しようとする課題】
【０００７】
シャッター式の入賞装置は、少なくとも前後にスライドする部材を設けているため、その動作を行うためのスペースが必要となる他、駆動機構やその動作を行うためのスペースも必要となる。このようなシャッター式の入賞装置において、装置をコンパクトにしたいとの要求がある。
【０００８】
本発明は、以上のような状況に鑑みてなされたものであって、その目的とするところは、コンパクトなシャッター式の入賞装置を提供することにある。
【課題を解決するための手段】
【０００９】
本発明によるシャッター式入賞装置は、弾球遊技機の遊技盤面に取り付けられて窓部を介して突出部材を該遊技盤面と略面一の待避位置から前方に突出させた突出位置へと移動させ、落下してくる遊技球をこの上部に沿って転動させて入賞経路に導くシャッター式入賞装置であって、前記突出位置は前記突出部材を前記遊技盤面から少なくとも前記遊技球の半径よりも大なる距離だけ突出させた位置にあり、前記遊技盤面の後方且つ前記窓部の側部に位置する回動軸に駆動アームの一端部を軸支させ水平面内で振り子動させることで前記駆動アームの他端部に係合させた前記突出部材を前記突出位置及び前記待避位置の間で往復動自在とさせることを特徴とする。
【００１０】
かかる発明によれば、駆動アームの回動角度を小さくしつつ突出位置及び待避位置の間の距離を大きくできて、結果としてコンパクトなシャッター式入賞装置を得ることができる。
【００１１】
上記した発明において、前記駆動アームの前記一端部には前記遊技盤面方向へ向けて伸びる延長アームが固定され、その延長端部を前記窓部の側方へ向けて移動させて前記突出部材を前記待避位置から前記突出位置に移動させることを特徴としてもよい。さらに、前記窓部の下部において、前記遊技盤面と平行且つ略水平に移動シャフトを有するアクチュエータが設けられ、前記移動シャフトの突出端部が前記延長アームの前記延長端部に係合していることを特徴としてもよい。かかる発明によれば、入賞装置をコンパクトに維持しつつ突出部材を移動させる駆動機構を簡便に得られる。
【００１２】
上記した発明において前記駆動アームと前記延長アームとは互いに鋭角をなすことを特徴としてもよい。さらに、前記延長アームが前記遊技盤面に対して垂直位置に移動して、前記突出部材を前記突出位置に移動させることを特徴としてもよい。かかる発明によれば、駆動アーム及び延長アームの移動範囲を狭くできて、シャッター式入賞装置をコンパクトにすることを容易とする。
【００１３】
上記した発明において、前記窓部を閉塞するように前記遊技盤面と平行に前板を有し、前記遊技盤面と前記前板との間を前記遊技球が落下可能であることを特徴としてもよい。かかる発明によれば、突出位置を前板との関係で定め得て、結果としてシャッター式入賞装置のコンパクトさを維持できる。
【００１４】
上記した発明において、前記突出部材は前記突出位置に移動し前記前板との間の間隔を前記遊技球の１／２以下とすることを特徴としてもよい。さらに、前記突出部材が前記突出位置に移動し、前記遊技球が前記前板に導かれ前記突出部材の前記上部に沿って転動することを特徴としてもよい。かかる発明によれば、突出位置にある突出部材の上で遊技球を確実に転動させ得る。
【００１５】
上記した発明において、前記前板に導かれ前記突出部材の前記上部に沿って転動し落下してくる前記遊技球を受け止める位置に入賞口が設けられていることを特徴としてもよい。また、上記した発明において、前記突出部材が前記待避位置にあって、前記遊技盤面と前記前板との間を落下してくる前記遊技球を受け止める位置に第２の入賞口が設けられていることを特徴としてもよい。かかる発明によれば、突出部材の突出位置及び待避位置のそれぞれに対応した入賞口を設けることができる。
【図面の簡単な説明】
【００１６】
【図１】本発明による１つの実施例におけるシャッター式入賞装置の正面図である。
【図２】前方壁を除いたシャッター式入賞装置の斜視図である。
【図３】シャッター式入賞装置の要部の正面図である。
【図４】シャッター部材及びその駆動機構の正面図である。
【図５】シャッター部材及びその駆動機構の平面図である。
【図６】シャッター式入賞装置の平面図である。
【図７】シャッター部材の駆動機能の要部の平面図である。
【発明を実施するための形態】
【００１７】
本発明による１つの実施例としてのシャッター式入賞装置について、図１乃至図５を用いて説明する。
【００１８】
図１に示すように、シャッター式入賞装置１は、例えば、大当たり動作時に右打ちで遊技球の入賞を促進させる弾球遊技機において、盤面右側に設置する大入賞口（アタッカー）を備える入賞装置として使用され得る。すなわち、大当たり動作中に遊技球の入賞のあった場合に大入賞口を開放するための始動入賞口２と、右側上方から進入する遊技球を受け入れる進入口３と、進入口３に進入した遊技球を左側（盤面中央側）に向けて導くように左側を低くする傾斜を有する通路４と、通路４の前方を区画する前方壁である前板５とを含む。前板５は、通路４の右側部分の前方において欠けており、通路４に進入した遊技球を遊技者から見やすくしている。
【００１９】
図２を併せて参照すると、通路４の底面を区画する底板部４ａに連続するように左右を長手方向とする矩形面１０ａを上側に有するシャッター部材１０が備えられる。シャッター部材１０は前後にスライド可能となるようにアタッカーベース１２に保持されて、アタッカーベース１２のベース面１２ａから突出することのできる突出部材である。つまり、シャッター部材１０がアタッカーベース１２のベース面１２ａから前方に突出した突出位置にあるときには、通路４から導かれた遊技球を矩形面１０ａの上でさらに左側に導いて排出口６から排出できる。他方、シャッター部材１０が後方に待避してその先端をアタッカーベース１２のベース面１２ａと略面一の位置に配置した待避位置にあるときには通路４から導かれた遊技球を矩形面１０ａに乗せることなく手前側へ落下させ、アタッカーベース１２に形成された入賞通路１３へ導くことができる。
【００２０】
なお、アタッカーベース１２は、シャッター式入賞装置１を遊技盤４０（図６参照）に取り付けるための台板１１に前後方向に挿通されるようにして固定されている。さらに、台板１１は遊技盤４０（図６参照）に取り付けられて、台板１１の前面及びアタッカーベース１２のベース面１２ａを遊技盤４０の手前側の面である遊技盤面と略面一に配置している。つまり、突出位置は突出部材であるシャッター部材１０を遊技盤面から少なくとも遊技球の半径よりも大なる距離だけ突出させた位置にあることになる。
【００２１】
入賞通路１３は矩形面１０ａと同様に左側を低くする傾斜を有しており、落下してきた遊技球を左端の入賞口１４に導くことができる。つまり、シャッター部材１０の突出位置がアタッカーの閉鎖、シャッター部材１０の待避位置がアタッカーの開放となる。
【００２２】
アタッカーベース１２の入賞通路１３のさらに下方には、シャッター部材１０をスライドさせる駆動力を得るためのソレノイド２１が収容されている。ソレノイド２１により駆動される機構については後述する。
【００２３】
図３に示すように、アタッカーベース１２は、シャッター部材１０をスライド可能に保持しつつ前方に突出させるため、シャッター部材の正面形状に対応した開口である窓部１２ｃをベース面１２ａに有している。また、シャッター部材１０は、矩形面１０ａを除いてその裏面やその他の部分に前後方向に延びる複数の突条１０ｂを備える。そして、アタッカーベース１２は、シャッター部材１０の各突条１０ｂにそれぞれ対応して前後に延びる溝１２ｂを備え、スライド時のシャッター部材１０の向きを安定させ得る。これによってシャッター部材１０の向きを安定させて動作をスムーズにすることができる。
【００２４】
図４及び図５に示すように、シャッター部材１０は、矩形面１０ａの左右方向の中央の裏面から下方へ向けて突出する第１ピン体１０ｃを備える。第１ピン体１０ｃには、略鉛直方向に延びる回動軸Ｚの周りに回動するよう軸支された回動部材３０が接続される。回動部材３０は、回動軸Ｚから左方向に延びる駆動アーム３１と、前方に延びる延長アーム３２とを備え、それぞれを水平面内で回動可能にしている。駆動アーム３１の先端は左方向に開口する二股状の先端部３１ａを有し、先端部３１ａの二股の間に第１ピン体１０ｃを左右方向にスライド自在に保持している。また、延長アーム３２の前方の延長端部には下方に向けて延びて接続部材２３に係合する第２ピン体３２ａを備える。第２ピン体３２ａは接続部材２３に設けられた前後方向に延びる溝２４に遊挿されて、接続部材２３に対して前後方向にスライド可能に保持される。接続部材２３は、ソレノイド２１のプランジャ２２に取り付けられて、ソレノイド２１によって遊技盤面４０ａ（図６参照）と平行に左右方向に駆動可能とされる。また、回動部材３０において、駆動アーム３１と延長アーム３２とは互いに鋭角をなしている。
【００２５】
ここで、回動軸Ｚは矩形面１０ａよりも右側、つまりシャッター部材１０の正面視での外形に対応する窓部１２ｃの側方に設けられている。また、回動軸Ｚは、アタッカーベース１２のベース面１２ａと略面一の位置にある遊技盤４０の遊技盤面４０ａ（図６参照）よりも後方に設けられる。回動軸Ｚの周りに回動する駆動アーム３１は、矩形面１０ａの左右方向の中央に設けられる第１ピン体まで延びているから、その長さは少なくとも矩形面１０ａの左右方向の長さの半分以上になる。また、矩形面１０ａの傾斜の高くなる側である右側に回動軸Ｚを設けて、駆動アーム３１などのシャッター部材１０よりも下側に配置される部材のスペースをより広く得るようにしている。
【００２６】
次に、シャッター式入賞装置１のシャッター部材１０の動作について、図５及び図６を用いて説明する。
【００２７】
図５（ａ）に示すように、シャッター部材１０は、アタッカーベース１２のベース面１２ａから前方（紙面下方）に突出した突出位置にある。このとき、ソレノイド２１はプランジャ２２（図５（ｂ）参照）を右方に突出させて接続部材２３を右側に離して位置させている。
【００２８】
図５（ｂ）に示すように、ソレノイド２１によってプランジャ２２をソレノイド２１の本体側（左側）へ引き寄せると、プランジャ２２に取り付けられた接続部材２３も左側に引き寄せられる。すると、接続部材２３に設けられた溝２４に保持された第２ピン体３１ａが左側に引き寄せられて、延長アーム３２とともに回動部材３０を上面視で時計回りに回動させる。これに伴い、回動部材３０の駆動アーム３１もその先端部３１ａを後方（紙面上方）に移動させるように回動する。これによって、先端部３１ａに保持された第１ピン体１０ｃとともに、シャッター部材１０が後方の待避位置に移動する。
【００２９】
さらにシャッター部材１０を突出位置に戻す場合には、これと逆方向の動作を行えばよい。つまり、鋭角をなす回動部材３０の両アームのうち、延長アーム３２を遊技盤面４０ａに対して垂直に近い位置に移動させて（紙面上時計回り）、駆動アーム３１の先端部３１ａを前方に移動させ、シャッター部材１０を突出位置に移動させるのである。
【００３０】
このように、駆動アーム３１の先端部３１ａを水平面内で振り子動させて第１ピン体１０ｃとともにシャッター部材１０を前後動させることができる。
【００３１】
なお、上記したように、駆動アーム３１と延長アーム３２とは互いに鋭角をなしており、突出位置にある場合に、延長アーム３２の延長端部である第２ピン体３２ａについて回動軸Ｚを超えて右側に位置させることがない。同様に、待避位置にある場合に、回動軸Ｚを超えて駆動アーム３１の先端部３１ａを後方に配置させることがない。つまり、回動部材３０の振り子動によっても回動部材の各アームは回動軸Ｚの右側や後方にはみ出すことがなく、駆動アーム３１及び延長アーム３２の移動範囲を狭くできる。
【００３２】
図６（ａ）に示すように、このような動作における突出位置では、シャッター部材１０の矩形面１０ａは、突出位置にあるときに遊技球を矩形面１０ａで左側の排出口６に導く通路の底面とする必要がある。そのため、突出位置における矩形面１０ａのベース面１２ａから突出する距離は少なくとも遊技球の半径よりは大きい。ここで、矩形面１０ａの前方端（紙面下方）は前方壁である前板５との間に間隙ｄを設けるように配置されている。遊技球が間隙ｄに嵌り込まないようにするためには、間隙ｄを遊技球の直径の１／２よりも小さくすることが好ましい。このような間隙ｄを設けることで、シャッター部材１０の突出位置及び待避位置の間の距離を小さくできる。
【００３３】
図６（ｂ）に示すように、待避位置においては、シャッター部材１０の矩形面１０ａは、その前方端を遊技球の通路の後方を区画する面であるアタッカーベース１２のベース面１２ａよりも前方に突出させている。かかる突出による突出寸法は、遊技球を確実にシャッター部材１０ａの前方で落下させるように、遊技球の直径の１／２未満に設定される。また、突出による前板５との間隙は遊技球の直径を超えるものに設定される。このように、待避位置において矩形面１０ａをベース面１２ａよりも突出させることで、シャッター部材１０の突出位置及び待避位置の間の距離をさらに小さくできる。
【００３４】
以上のように、シャッター式入賞装置１では、回動軸Ｚを窓部１２ａの側部に設けて駆動アーム３１の長さを長くしている。これによって、シャッター部材１０の前後への移動距離に対する回動部材３０の回動角度を小さくしている。つまり、回動部材３０の回動角度を小さくしつつシャッター部材１０の突出位置及び待避位置の間の距離を大きくでき、結果としてシャッター式入賞装置１をコンパクトにし得る。例えば、シャッター式入賞装置１によれば、遊技盤４０の後方にはみ出ないように取り付け可能である。
【００３５】
なお、図７に示すように、接続部材２３の溝２４には、矩形面１０ａ側（左側）の側面に回動軸Ｚ側へ向けて溝２４を狭くするような段差２４ａが形成されている。そして、シャッター部材１０を突出位置に位置させたときに、第２ピン体３２ａは段差２４ａ内に収容される。ここで、第２ピン体３２ａは回動軸Ｚよりも矩形面１０ａ側（左側）にある。そのため、シャッター部材１０を後方に押し込むように外部から力を加えても、第２ピン体３２ａの後方への移動を接続部材２３の段差２４ａで阻止し、回動部材３０の時計回りの回動を防止できる。つまり、部品数を増やさず、また寸法を犠牲にすることなく、突出位置にあるシャッター部材１０を押し込んで待避位置に移動させるような不正行為を防止できる。
【００３６】
なお、上記した実施例では、シャッター部材１０の下に入賞口１４を設け、矩形面１０ａで遊技球を転動させた左側に排出口６を設けてはずれとしたが、これとは逆に入賞口１４の位置にはずれ孔を設けるとともに排出孔６の位置に入賞口を設けて、はずれと入賞とを逆の位置にすることもできる。さらには、両方とも入賞口として、それぞれ異なる賞球や異なる特典を付与するようにすることもできる。
【００３７】
ここまで本発明による代表的実施例を説明したが、本発明は必ずしもこれに限定されるものではなく、当業者であれば、本発明の主旨又は添付した請求項の範囲を逸脱することなく種々の代替実施例及び改変例を見出すことができるであろう。
【符号の説明】
【００３８】
１    シャッター式入賞装置
５    前板（前方壁）
１０    シャッター部材
１０ａ  矩形面
２１    ソレノイド
２３    接続部材
３０    回動部材
３１    駆動アーム
３２    延長アーム
Ｚ    回動軸
【図１】
2019111118.tif 000003
【図２】
2019111118.tif 000004
【図３】
2019111118.tif 000005
【図４】
2019111118.tif 000006
【図５】
2019111118.tif 000007
【図６】
2019111118.tif 000008
【図７】
2019111118.tif 000009